(57)【要約】      （修正有）【課題】寝具として使用した時に衿で口元が覆われないようにした、かい巻きを提供する。【解決手段】かい巻き１０は、衿１４において特に後ろ衿ぐりを肩山１６のラインよりも内側へと凹ませた凹部１７を備えており、前身頃と後身頃を反対にして肩山１６で両肩を覆うようにして身体に掛けた時に凹部１７が使用者の首に嵌まるようになっている。【選択図】図３
0003143678.tif 000002
【実用新案登録請求の範囲】
【請求項１】
全体が長着形状であり、後ろ衿ぐりが肩山のラインよりも内側へ凹んだ形状になっていることを特徴とするかい巻き。
【請求項２】
全体が長着形状であり、後ろ衿ぐりが肩山のラインよりも内側へ凹んだ形状になっており、衿の周囲にループが設けられ、衿カバーの取付紐をループに通して結び付けることにより衿カバーが取り外し可能に取り付けられていることを特徴とするかい巻き。
【考案の詳細な説明】
【技術分野】
【０００１】
本考案は、防寒用寝具として使用されるかい巻き（「夜着」、「丹前」、「どてら」等とも呼ばれる）について、特に就寝時の快適性を向上させた形状に関する。
【背景技術】
【０００２】
一般に、かい巻きは袖の付いた防寒用寝具として知られており、防寒着としてだけでなく寝具としても使用することができる便利なものである。図５に示すように、従来のかい巻き１は、袖丈の短い長着のような形状をしており、防寒着として使用する場合には袖２に手を通して着物のように羽織って使用する。また、寝具として使用する場合には、かい巻き１の前と後ろを反対にして、かい巻き１を掛け布団のように身体に掛けて使用するようになっている。
【０００３】
ところで、従来のかい巻き１には首周りの寒さを防ぐために衿３が設けられており、この衿３が肩山４のラインよりも高い位置にはみ出している。このため、寝具として使用した時に、図６（ａ）のように両肩を包むようにして身体に掛けると、衿３で口元が覆われてしまうので、息苦しくて寝付きが悪くなるという問題があった。また、図６（ｂ）のように衿３が邪魔にならないように下にずらすと両肩が袖２よりも上に出てしまうので、両肩が冷えて寒さを防げないという問題があった。
【考案の開示】
【考案が解決しようとする課題】
【０００４】
本考案はこのような問題を解決するためになされたものであり、その目的とするところは、特に寝具として使用する場合に、身体に掛けた時でも衿で口元が覆われることがなく、しかも寒さを防いで快適な睡眠を取ることができるかい巻きを提供することにある。
【課題を解決するための手段】
【０００５】
上記の目的を達成するため、本考案は、かい巻きの衿の形状を工夫したものであり、本考案に係るかい巻きは、全体が長着形状であり、後ろ衿ぐりが肩山のラインよりも内側へ凹んだ形状になっていることを特徴とする。このような形状にすると、両肩を包むようにして身体に掛けた時に後ろ衿ぐりの部分が顎よりも下側に位置するので、衿で口元が覆われることがなく快適な睡眠が確保される。
【０００６】
また、本考案に係るかい巻きは、全体が長着形状であり、後ろ衿ぐりが肩山のラインよりも内側へ凹んだ形状になっており、衿の周囲にループが設けられ、衿カバーの取付紐をループに通して結び付けることにより衿カバーが取り外し可能に取り付けられていることを特徴とする。このような構造によれば、かい巻きの特に汚れやすい衿の部分だけを衿カバーで覆うことにより、衿カバーが汚れてもかい巻きから取り外して丸ごと洗濯することが可能になり、いつでも清潔な状態でかい巻きを使用することができる。
【考案の効果】
【０００７】
本考案のかい巻きによると、寝具として使用した時に後ろ衿ぐりの凹んだ部分が使用者の首に嵌まるようになっているため、口元が衿で覆われず息苦しくなくなるので、心地良い眠りに就くことが可能になる。また、肩山で両肩を包み込むようにして掛けると両肩が外に出ることがなく、しかも首周りの肌が衿で覆われるので寒さを防いで一晩中快適な睡眠を取ることができる。さらに、取り外し可能な衿カバーを設けたことにより、汚れた衿カバーだけを取り外して洗濯することができ、いつでも清潔な状態でかい巻きを使用することができる。
【考案を実施するための最良の形態】
【０００８】
以下、本考案の実施の形態について、図面を参照しながら説明する。
【０００９】
図１は本考案のかい巻きの構成を示す外観図、図２は衿カバーの構成とその取付時の状態を示す説明図、図３は本考案のかい巻きの使用時の状態を示す説明図、図４は本考案のかい巻きの他の構成例を示す外観図である。
【００１０】
図１において、本実施形態のかい巻き１０は、中綿に羊毛を使用したキルティング生地を使用し、このキルティング生地を所要形状に裁断して縫製することによって構成されている。このかい巻き１０は前身頃１１と後身頃１２とからなり、袖１３の丈を短くした長着形状をしている点では従来のかい巻き１と同じであるが、衿１４の形状が従来のものと異なっている。
【００１１】
すなわち、衿１４は、後ろ衿ぐり１５を肩山１６のラインよりも内側（後身頃１２側）へと凹ませた略「コ」の字形状の凹部１７を備えている。この凹部１７は、使用者の首が嵌まる程度の幅と深さを有しており、着用した時に首周りを覆うようになっている。なお、衿１４は首周りの肌に直接触れる部分であるので、肌触りの柔らかい綿起毛（綿別珍）の素材を縫い付けることにより構成されている。
【００１２】
また、衿１４の周囲には、図２に示す衿カバー２０を取り付けるための小さなループ１８が設けられており、本実施形態では衿１４の内側と外側に合計６個のループ１８，１８，…がかい巻き本体と衿部分の間に縫い込まれている。これに対して、衿カバー２０は、衿１４の上半分を覆う大きさの綿ニット素材で構成されており、カバー本体２１の両側縁部に沿って同じく６箇所に綿製の取付紐２２，２２，…が縫い付けられている。そして図２に示すように、それぞれの取付紐２２をループ１８に通して結び付けることにより、かい巻き１０の衿１４に衿カバー２０を取り付けることができる。
【００１３】
本考案のかい巻き１０は以上のように構成されており、これを寝具として使用する場合には、図３に示すように前身頃１１と後身頃１２を反対にしてかい巻き１０を掛け布団のように身体に掛け、肩山１６で両肩を包み込むようにして使用する。ここで、衿１４には凹部１７が設けられており、この凹部１７が使用者の首にちょうど嵌まるようになっている。このため、従来のように衿１４で口元が覆われることがなく心地良い眠りに就くことが可能になる。また、肩山１６が両肩を覆うので両肩が外に出ることがなく肩口から冷たい空気が入るのを遮断することができ、しかも首周りが衿１４によって覆われているので、寒さを防いで一晩中快適な睡眠を取ることができる。
【００１４】
また、従来のかい巻きにはカバーを付けたタイプがあったが、かい巻き全体を覆うカバーや、胸の位置よりも上の袖を含む部分まで覆うカバーが一般的であり、取り付けが面倒であり、しかも折角かい巻きの素材を暖かいものにしても冷えたカバーが身体に触れてしまい必ずしも快適なものとはいえなかった。それに対して、本実施形態の衿カバー２０は従来のカバーと違って衿１４の上半分だけを覆うようになっているので、身体全体に触れる部分が羊毛入りのキルティング素材になり、かい巻き１０全体が冷たく感じることもない。また、衿カバー２０は綿ニット素材で構成されているため、肌触りが良く、寝ている間にかいた汗を効率良く吸収することができる。しかもこの衿カバー２０は取付紐２２をほどけば衿１４から簡単に取り外すことが可能であり、汚れても衿カバー２０だけを丸ごと洗濯することができ、常に清潔な状態でかい巻き１０を使用することができる。
【００１５】
なお、上述した実施形態では、かい巻き１０の後ろ衿ぐり１５に略「コ」字形状の凹部１７を形成したが、後ろ衿ぐり１５が肩山１６のラインよりも内側へと凹んでいれば、凹部１７の形状については特に限定されない。例えば、図４（ａ）に示すような半円形状の凹部１７ａや、同図（ｂ）に示すようなＶ字形状の凹部１７ｂなど、様々なバリエーションを採用することも可能である。
【図面の簡単な説明】
【００１６】
【図１】本考案のかい巻きの構成を示す外観図。
【図２】衿カバーの構成とその取付時の状態を示す説明図。
【図３】本考案のかい巻きの使用時の状態を示す説明図
【図４】本考案のかい巻きの他の構成例を示す外観図。
【図５】従来のかい巻きの構成を示す外観図。
【図６】従来のかい巻きの使用時の状態を示す説明図。
【符号の説明】
【００１７】
１０  かい巻き
１１  前身頃
１２  後身頃
１３  袖
１４  衿
１５  後ろ衿ぐり
１６  肩山
１７  凹部
１８  ループ
２０  衿カバー
２１  カバー本体
２２  取付紐
【図１】
0003143678.tif 000003
【図２】
0003143678.tif 000004
【図３】
0003143678.tif 000005
【図４】
0003143678.tif 000006
【図５】
0003143678.tif 000007
【図６】
0003143678.tif 000008